(57)【要約】      （修正有）【課題】ネクタイを結ぶのが苦手な人でも、片手で容易かつ確実に着脱でき、形崩れせず、引っ張れば衣服から簡単に外れるネクタイを構成するための簡易ネクタイ用係止具を提供すること。【解決手段】簡易ネクタイ用係止具であって、下板バネ、上板バネ、下ベロと、回動軸片と、アーム部と、押圧部２１０を備える上ベロと、下ベロに固着された翼状芯と、ダボとからなり、ダボが、上ベロがばね付勢により背面側に回動した際に押圧部に当接する閉位置に配置され、上板バネが回動規制部を有し、回動規制部が、上ベロがばね付勢により簡易ネクタイの正面側に回動する際に回動軸片の他端に当接する開位置に配置され、押圧部２１０が凹部を備え、ダボが先細の先端部５１０を備え、閉位置において凹部と先端部とが当接する簡易ネクタイ用係止具。【選択図】図９
2020147864.tif 000002
【特許請求の範囲】
【請求項１】
簡易ネクタイの逆三角形状のノットの内側に配置される簡易ネクタイ用係止具であって、
下板バネおよび上板バネを有し、該下板バネが回動軸片受け部を備える下ベロと、
前記上板バネと前記下板バネとの間で挟持されて回動自在にばね付勢される回動軸片と、該回動軸片から上方に突出して前記簡易ネクタイの背面側に屈曲するアーム部と、該アーム部の先端に設けられた押圧部とを備える上ベロと、
前記下ベロに固着された翼状芯と、
該下ベロおよび該翼状芯を貫通固定して前記背面側に突出するダボと
からなり、
該ダボが、前記上ベロがばね付勢により前記背面側に回動した際に前記押圧部に当接する閉位置に配置され、
前記上板バネが回動規制部を有し、
該回動規制部が、前記上ベロがばね付勢により前記簡易ネクタイの正面側に回動する際に前記回動軸片の他端に当接する開位置に配置され、
前記押圧部が凹部を備え、前記ダボが先細の先端部を備え、前記閉位置において該凹部と該先端部とが当接することを特徴とする簡易ネクタイ用係止具。
【請求項２】
前記翼状芯が、正面視略Ｖ字状であることを特徴とする請求項１に記載の簡易ネクタイ用係止具。
【請求項３】
前記翼状芯が、平面視略Ｖ字状であることを特徴とする請求項１または請求項２に記載の簡易ネクタイ用係止具。
【発明の詳細な説明】
【技術分野】
【０００１】
本発明は、簡易ネクタイを装着するための簡易ネクタイ用係止具に関するものである。
【背景技術】
【０００２】
従来、ネクタイを結ぶのが苦手な人は、ネクタイを結ぶときに型崩れがしやすく時間がかかるうえ、両手を使って結ぶ必要があるためネクタイを結ぶために他の作業を中断することが必要であった。さらに、ネクタイが扉に挟まる、または暴漢に引っ張られるなどの場合に、首が絞められるなどの事故につながる恐れがあった。これに対し、例えば首周りの環状部を背中側で分断して面ファスナを設けたもの（特許文献１参照）、スライドファスナーによりサイズを調整するもの（特許文献２）などが知られている。
【先行技術文献】
【特許文献】
【０００３】
【特許文献１】実用新案登録第３１９７８７９号
【特許文献２】特開２０１５―３０９３２号公報
【発明の概要】
【発明が解決しようとする課題】
【０００４】
しかしながら、特許文献１の発明に係るタイプのネクタイでは、首回りの装着作業を両手を使って背中側で行う必要があるため、他の作業を中断して注意深く長さ調整を行う必要があった。また、特許文献２の発明に係るタイプのネクタイでは、ネクタイが扉に挟まる、または暴漢に引っ張られるなどの場合に、とっさに外すことができず、首を絞められ、または拘束されるリスクを残すものであった。
【０００５】
そこで、本発明は、前述したような従来技術の問題を総合的に解決するものであって、すなわち、本発明の目的は、ネクタイを結ぶのが苦手な人でも、片手で容易かつ確実に着脱でき、形崩れせず、引っ張れば衣服から簡単に外れるネクタイを構成するための簡易ネクタイ用係止具を提供することである。
【課題を解決するための手段】
【０００６】
本請求項１に係る発明は、簡易ネクタイの逆三角形状のノットの内側に配置される簡易ネクタイ用係止具であって、下板バネおよび上板バネを有し、該下板バネが回動軸片受け部を備える下ベロと、前記上板バネと前記下板バネとの間で挟持されて回動自在にばね付勢される回動軸片と、該回動軸片から上方に突出して前記簡易ネクタイの背面側に屈曲するアーム部と、該アーム部の先端に設けられた押圧部とを備える上ベロと、前記下ベロに固着された翼状芯と、該下ベロおよび該翼状芯を貫通固定して前記背面側に突出するダボとからなり、該ダボが、前記上ベロがばね付勢により前記背面側に回動した際に前記押圧部に当接する閉位置に配置され、前記上板バネが回動規制部を有し、該回動規制部が、前記上ベロがばね付勢により前記簡易ネクタイの正面側に回動する際に前記回動軸片の他端に当接する開位置に配置され、前記押圧部が凹部を備え、前記ダボが先細の先端部を備え、前記閉位置において該凹部と該先端部とが当接することにより、前述した課題を解決するものである。
【０００７】
本請求項２に係る発明は、請求項１に係る発明の構成に加え、前記翼状芯が、正面視略Ｖ字状であることにより、前述した課題をさらに解決するものである。
【０００８】
本請求項３に係る発明は、請求項１または請求項２に係る発明の構成に加え、前記翼状芯が、平面視略Ｖ字状であることにより、前述した課題をさらに解決するものである。
【発明の効果】
【０００９】
本発明の請求項１に係る発明の簡易ネクタイ用係止具によれば、簡易ネクタイの逆三角形状のノットの内側に配置される簡易ネクタイ用係止具であって、下板バネおよび上板バネを有し、下板バネが回動軸片受け部を備える下ベロと、上板バネと下板バネとの間で挟持されて回動自在にばね付勢される回動軸片と、回動軸片から上方に突出して簡易ネクタイの背面側に屈曲するアーム部と、アーム部の先端に設けられた押圧部とを備える上ベロと、下ベロに固着された翼状芯と、下ベロおよび翼状芯を貫通固定して背面側に突出するダボとからなり、ダボが、上ベロがばね付勢により背面側に回動した際に押圧部に当接する閉位置に配置されていることにより、簡易ネクタイを装着した際に、上ベロとダボとで衣服を強く挟持するため、簡易ネクタイを衣服に確実に装着することができ、かつ簡易ネクタイを引っ張るだけで簡単に衣服から外すことができ、前記上板バネが回動規制部を有し、該回動規制部が、前記上ベロがばね付勢により前記簡易ネクタイの正面側に回動する際に前記回動軸片の他端に当接する開位置に配置されていることにより、上ベロが開いた状態で安定するため、簡易ネクタイを着用位置にあてがって上ベロを回動操作するだけで、片手でも容易に簡易ネクタイを装着することができ、押圧部が凹部を備え、ダボが先細の先端部を備え、閉位置において凹部と先端部とが当接することにより、先端部と凹部とで衣服をいっそう強く挟持するため、簡易ネクタイをいっそう確実に装着することができる。
【００１０】
本発明の請求項２に係る発明の簡易ネクタイ用係止具によれば、請求項１に係る発明が奏する効果に加え、翼状芯が、正面視略Ｖ字状であることにより、ノットを内側から突っ張って逆三角形状を維持するため、簡易ネクタイの型崩れを防止することができる。
【００１１】
本発明の請求項３に係る発明の簡易ネクタイ用係止具によれば、請求項１または請求項２に係る発明が奏する効果に加え、翼状芯が、平面視略Ｖ字状であることにより、逆三角形状のノットの左右上端部を中央部よりも背面側に位置させるため、首元に簡易ネクタイを装着する際に、両襟の下に容易にノットを潜り込ませることができる。
【図面の簡単な説明】
【００１２】
【図１】本発明の簡易ネクタイ用係止具を装着者の背面側から見た模式図。
【図２】本発明の簡易ネクタイ用係止具を装着者の正面側から見た模式図。
【図３】本発明の簡易ネクタイ用係止具を装着者の上側から見た模式図。
【図４】本発明の簡易ネクタイ用係止具を装着者の下側から見た模式図。
【図５】本発明の簡易ネクタイ用係止具に係る上ベロが第一の安定位置にある状態を示す模式図。
【図６】本発明の簡易ネクタイ用係止具に係る上ベロが第二の安定位置にある状態を示す模式図。
【図７】本発明の簡易ネクタイ用係止具に係る上ベロの模式図。
【図８】本発明の簡易ネクタイ用係止具に係る上ベロの模式的断面図。
【図９】本発明の簡易ネクタイ用係止具を備えた簡易ネクタイを首元に装着する様子を示す模式図。
【発明を実施するための形態】
【００１３】
本発明は、簡易ネクタイの正面視逆三角形状のノットの内側に配置される簡易ネクタイ用係止具であって、回動軸片受け部を有する下板バネおよび上板バネを備える下ベロと、上板バネと下板バネとに回動自在に挟持されてばね付勢される回動軸片、アーム部及び押圧部を備えノットの上部からアーム部及び押圧部を突出させてノットの背面側に屈曲する上ベロと下ベロに固着された翼状芯と、下ベロおよび翼状芯を貫通固定してノットの背面から突出するダボとからなり、回動軸片が、その一端を回動軸片受け部に配置されて回動の中心となり、ダボが、上ベロがばね付勢により背面側に回動する際に押圧部に当接して停止させる閉位置を規定していることにより、簡易ネクタイを衣服に確実に装着することができ、かつ簡易ネクタイを引っ張るだけで簡単に衣服から外すことができるものであれば、その具体的な実施態様は、如何なるものであっても構わない。
【００１４】
すなわち、本発明の簡易ネクタイ用係止具のうち、上ベロ、下ベロおよびダボは各種の金属、例えば鉄、ステンレススチール、アルミニウム等から構成することができる。特に、上板バネ下板バネは、回動軸片を回動自在に挟持することができる板バネとしての機能を発揮するような素材から構成することが好ましい。
【００１５】
なお、上ベロのうち押圧部は、金属素材に対してディッピングにより軟質樹脂でコートして形成することができる。押圧部を軟質樹脂で形成すれば、使用時に衣服との間の摩擦力が大きくなるので脱落しにくくなり、また、不使用時には、押圧部とダボとが当接しても押圧部が傷つかないので好ましい。
【００１６】
本発明の簡易ネクタイ用係止具のうち、翼状芯は、簡易ネクタイのノット内に配置し、ノットを構成しているネクタイ生地を内側から突っ張って逆三角形を保持する機能を有している。このため、翼状芯はノットの型崩れを防ぐ剛性を持ち、軽量で、ネクタイ生地を傷めないような素材、例えば硬質樹脂から形成することができる。
【実施例１】
【００１７】
以下に、本発明の一実施例である簡易ネクタイ用係止具について、図１乃至図９に基づいて説明する。
【００１８】
ここで、図１は、本実施例の簡易ネクタイ用係止具を装着者の背面側から見た模式図であり、図２は、装着者の正面側から見た模式図であり、図３は、装着者の上側から見た模式図であり、図４は、装着者の下側から見た模式図であり、図５は、本実施例の簡易ネクタイ用係止具に係る上ベロが第一の安定位置にある状態を示す模式図であり、図６は、本発明の簡易ネクタイ用係止具に係る上ベロが第二の安定位置にある状態を示す模式図であり、図７は、本実施例の簡易ネクタイ用係止具に係る上ベロの模式図であり、図８は、本実施例の簡易ネクタイ用係止具に係る上ベロの模式的断面図であり、図９は、本実施例の簡易ネクタイ用係止具を備えた簡易ネクタイを首元に装着する様子を示す模式図である。
【００１９】
本実施例は、図１乃至図８に示すように、簡易ネクタイの逆三角形状のノットＮＴに固定される簡易ネクタイ用係止具１００であり、上ベロ２００、下ベロ３００、翼状芯４００およびダボ５００から構成されている。
【００２０】
以下の説明で、「正面側」「背面側」等の向きを表現する言葉は、簡易ネクタイをシャツの首元に装着した場合の着用者の立場を基準に用いるものとし、簡易ネクタイ用係止具の「正面側」と装着されたネクタイの「表側」は同じ向きを表すこととなる。
【００２１】
上ベロ２００は、図５、図６および図８に示すように、アーム部２２０とその一端に長方形板状の回動軸片２３０を有しており、アーム部２２０の他端側の先端にはスプーン状の押圧部２１０が設けられている。上ベロ２００は、回動軸片２３０から上方に突出し、簡易ネクタイのノットＮＴの上部から外に突出して、簡易ネクタイの背面側にＪ字状に屈曲するアーム部２２０を備える金属製の部品である。
【００２２】
なお、押圧部２１０は、図７及び図８に示すように、上ベロ２００の全長の役半分にわたりディッピングすることにより、軟質樹脂でコートして構成しており、柄部２１１及びつぼ部２１２からなる。つぼ部２１２は、円形の窪みである凹部２１３を備えている。
凹部２１３は、図５の状態では、すなわち閉位置においては、後述のダボ５００の先端部５１１に当接する。
【００２３】
回動軸片２３０は、後述の上板バネ３２０と下板バネ３１０とに回動自在に挟持されている。より詳細に説明すると、回動軸片２３０の一端が後述の回動軸片受け部３１１内に保持されるとともに、他の一端は後述の上板バネ３２０に当接するように配置されている。
【００２４】
このため、回動軸片２３０は、回動軸片受け部３１１に保持されている一端辺が回転中心となって回動し、上板バネ３２０に直行する方向に対していずれかの側に回動軸片２３０が傾いたときに、傾きを大きくする向きの力を受けるようにバネ付勢されている。
【００２５】
下ベロ３００は、図５及び図６に示すように、回動軸片受け部３１１を備える下板バネ３１０と回動軸片受け部３１１よりも上側の位置に下板バネ３１０側に突出する回動規制部３２１を有する上板バネ３２０とを備えている金属性の部品である。
【００２６】
翼状芯４００は、図１及び図２に示すように、正面視略Ｖ字状の硬質樹脂製の部品であり、その中央最下部は丸みを帯びて突出する下突出部４２０となっており、正面側中央の係合部４３０において上板バネ３２０と係合している。
【００２７】
翼状芯４００は、図３、図５及び図６に示すように、中央で屈曲して平面視略Ｖ字状になっているため、左右に広がる二つの翼片部４１０は、それぞれ中央から離れるにつれて背面側に位置するように配置されている。各翼片部４１０は、図３乃至図６に示すように、上水平面部４１１、上傾斜面部４１２および下傾斜面部４１３を有している。
【００２８】
翼状芯４００は、その全体が簡易ネクタイのノットＮＴの内側に配置され、ノットＮＴを構成しているネクタイ生地を内側から突っ張ってノットＮＴの形状を保持する。
【００２９】
ダボ５００は、柱状部５１０、上ベロ２００と当接する先細の先端部５１１、翼状芯４００を挟圧する鍔部５２０および下ベロを挟圧固定する固定部５３０からなり、下ベロ３００および下突出部４２０を貫通固定している。
ダボ５００は、簡易ネクタイのノットＮＴの背面から柱状部５１０を突出させて用いる。
【００３０】
本実施例の簡易ネクタイ用係止具１００の使用方法と作用効果を説明する。
簡易ネクタイ用係止具１００は、図９に示すように上ベロ２００の一部とダボ５００の一部を除き、簡易ネクタイのノットＮＴの内部に配置固定して用いるものである。
【００３１】
正面視略Ｖ字状の翼状芯４００は、図９に示すように、逆三角形状の布製の簡易ネクタイのノットＮＴ内部に配置されることにより、左右に広がる二つの翼片部４１０がノットＮＴを内側から突っ張って逆三角形状を維持するため、簡易ネクタイの型崩れを防止することができる。
【００３２】
また、翼状芯４００が中央で屈曲して平面視略Ｖ字状となっており、左右の各翼片部４１０が中央から離れるにつれて背面側に位置することにより、逆三角形状のノットＮＴの左右上端部を中央部よりも背面側に位置させるため、首元に簡易ネクタイを装着する際に、両襟の下に容易にノットＮＴを潜り込ませることができる。
【００３３】
ダボ５００は、図９に示すように、簡易ネクタイのノットＮＴの背面側から突出し、ワッシャーＷＳにより簡易ネクタイのノットＮＴを締め付けて固定される。このとき、上ベロ２００のアーム部２２０及び押圧部２１０が、簡易ネクタイのノットＮＴの上部から突出して背面側に屈曲するように配置されることとなる。
【００３４】
上述のように、上ベロ２００の回動軸片２３０は、上板バネ３２０に直行する方向に対して回動軸片２３０が傾いたときに、傾きを大きくする向きの力を受けるように上板バネ３２０と下板バネ３１０とによってバネ付勢されている。
【００３５】
このため、図５に示す位置（閉位置）の近傍では、回動軸片２３０に対して上板バネ３２０および下板バネ３１０が常に時計回りの力を加えることになる。特に、図５に示す位置（閉位置）では、上ベロ２００がダボ５００に当接して反時計回りの力を受けるため、上ベロ２００の回転が停止して安定する。
【００３６】
ダボ５００は、上ベロ２００が背面側に回動する際に押圧部２１０に当接して上ベロ２００の回動を停止させる位置（閉位置）に配置されていることにより、閉位置を規定していると言うことができる。
【００３７】
このように、閉位置においては、バネ付勢により上ベロ２００とダボ５００とが衣服を挟持する構成となっているため、簡易ネクタイを確実に装着することができる。特に、本実施例では、凹部２１３と先端部５１１とが当接するように構成されているので、簡易ネクタイの装着時に、先端部５１１と凹部２１３とで衣服をいっそう強く挟持するため、簡易ネクタイをいっそう確実に装着することができる。
【００３８】
また、図６に示す位置（開位置）の近傍では、回動軸片２３０に対して上板バネ３２０および下板バネ３１０が常に反時計回りの力を加えることになる。特に、図６に示す位置（開位置）では、回動軸片２３０の他端（上板バネに接している辺）が回動規制部３２１に当接して時計回りの力を受けるため、回動軸片２３０の回転が、ひいては上ベロ２００の回転が停止して安定する。
【００３９】
回動規制部３２１は、上ベロ２００が正面側に回動する際に回動軸片２３０の一端に当接して回動軸片２３０の回動を停止させる位置（開位置）に配置されていることにより、開位置を規定していると言うことができる。
【００４０】
なお、この開位置は、図６に示すように、押圧部２１０が翼状芯４００の上水平面部４１１よりもさらに上側に位置してクリアランスを有するように設定しているので、簡易ネクタイを衣服に装着する際に押圧部２１０を衣服の奥側に容易に挿入することができる。
【００４１】
以上の構成としているため、図５の状態から上ベロ２００を反時計回りに（正面側に）少しずつ回動させて（開いて）いくと、あるところで急にパチンと大きく開位置まで開いて、図６の状態になる。逆に、図６の状態から上ベロ２００を時計回りに（背面側に）少しずつ回動させて（閉じて）いくと、あるところで急にパチンと閉位置まで閉じて、図５の状態になる。
【００４２】
このため、簡易ネクタイを着用位置にあてがって上ベロ２００を回動操作するだけで、片手でも容易に簡易ネクタイを衣服に装着することができ、装着後に簡易ネクタイを引っ張るだけで、容易に簡易ネクタイを衣服から外すことができる。
【００４３】
以上説明したように、本実施例の簡易ネクタイ用係止具によれば、簡易ネクタイの正面視逆三角形状のノットの内側に配置される簡易ネクタイ用係止具であって、回動軸片受け部を有する下板バネおよび上板バネを備える下ベロと、上板バネと下板バネとに回動自在に挟持されてばね付勢される回動軸片並びに上方に突出して背面側に屈曲するアーム部及び押圧部を備える上ベロと、下ベロに固着された翼状芯と、下ベロおよび翼状芯を貫通固定して背面側に突出するダボとからなり、ダボが、上ベロがばね付勢により背面側に回動する際に押圧部に当接する位置に配置されていることにより、簡易ネクタイを衣服に確実に装着することができ、かつ簡易ネクタイを引っ張るだけで簡単に衣服から外すことができ、また、上板バネが回動規制部を有し、回動規制部が、上ベロがばね付勢により正面側に回動する際に回動軸片の他端に当接する位置に配置されていることにより、簡易ネクタイを着用位置にあてがって上ベロを回動操作するだけで、片手でも容易に簡易ネクタイを装着することができ、さらに、押圧部が凹部を備え、ダボが先細の先端部を備え、閉位置において凹部と先端部とが当接することにより、簡易ネクタイをいっそう確実に装着することができ、さらにまた、翼状芯が、正面視略Ｖ字状であることにより、簡易ネクタイの型崩れを防止することができ、そして、翼状芯が、平面視略Ｖ字状であることにより、首元に簡易ネクタイを装着する際に、両襟の下に容易にノットを潜り込ませることができる。
【符号の説明】
【００４４】
１００・・・簡易ネクタイ用係止具
２００・・・上ベロ
２１０・・・押圧部
２１１・・・柄部
２１２・・・つぼ部
２１３・・・凹部
２２０・・・アーム部
２３０・・・回動軸片
３００・・・下ベロ
３１０・・・下板バネ
３１１・・・回動軸片受け部
３２０・・・上板バネ
３２１・・・回動規制部
４００・・・翼状芯
４１０・・・翼片部
４１１・・・上水平面部
４１２・・・上傾斜面部
４１３・・・下傾斜面部
４２０・・・下突出部
４３０・・・係合部
５００・・・ダボ
５１０・・・柱状部
５１１・・・先端部
５２０・・・鍔部
５３０・・・固定部
ＮＴ・・・・ノット（簡易ネクタイ）
ＷＳ・・・・ワッシャー
ＣＬ・・・・襟
【図１】
2020147864.tif 000003
【図２】
2020147864.tif 000004
【図３】
2020147864.tif 000005
【図４】
2020147864.tif 000006
【図５】
2020147864.tif 000007
【図６】
2020147864.tif 000008
【図７】
2020147864.tif 000009
【図８】
2020147864.tif 000010
【図９】
2020147864.tif 000011